(57)【要約】【課題】光学センサによる適切な検知を可能とする。【解決手段】便器に設置される便座装置は、便器の上面に固定される本体と、本体に支持された便座と、便座に設けられ、便座の表面から光を発する発光部と、発光部が発した光の反射光を受光可能な受光部とを有する反射型の光学センサと、を備える。このため、便座に設けられた光学センサで、便座装置の使用者を適切に検知することができる。また、本体ではなく便座に光学センサを設けることで光学センサを露出させるように便座の形状を設計する必要がないものとすることができる。【選択図】図１
2019126406.tif 000002
【特許請求の範囲】
【請求項１】
便器に設置される便座装置であって、
前記便器の上面に固定される本体と、
前記本体に支持された便座と、
前記便座に設けられ、前記便座の表面から光を発する発光部と、前記発光部が発した光の反射光を受光可能な受光部とを有する反射型の光学センサと、
を備える便座装置。
【請求項２】
請求項１に記載の便座装置であって、
前記便座は、使用者が着座する着座部と、前記本体を覆うように前記着座部から後方の前記本体側まで延在する延在部とを有し、
前記光学センサは、前記延在部に設けられる
便座装置。
【請求項３】
請求項２に記載の便座装置であって、
前記便座および前記本体の一方から他方に向けて幅方向の中央側から延出するように設けられると共に前記便座および前記本体の他方に設けられた凹部内に嵌まり込んで軸支され、前記便座を回転可能に支持するヒンジ部を備える
便座装置。
【請求項４】
請求項３に記載の便座装置であって、
前記ヒンジ部は、中空軸状のヒンジ軸により軸支されており、
前記光学センサの配線は、前記便座と前記本体との間を前記ヒンジ軸内を通って引き回される
便座装置。
【請求項５】
請求項３または４に記載の便座装置であって、
前記便座は、幅方向の両端側で本体に回転可能に支持されており、
前記便座が前記両端側で前記本体に支持される箇所および前記ヒンジ部が前記凹部の両側の内壁に軸支される箇所のうち、少なくとも２箇所に前記便座に回転抵抗を付与するダンパを備える
便座装置。
【請求項６】
請求項１ないし５のいずれか１項に記載の便座装置であって、
前記便座を覆う便蓋が設けられない便蓋レスの構造である
便座装置。
【請求項７】
請求項１ないし６のいずれか１項に記載の便座装置であって、
前記光学センサは、前記便座への使用者の着座を検知する着座センサである
便座装置。
【発明の詳細な説明】
【技術分野】
【０００１】
本発明は、便座装置に関する。
【背景技術】
【０００２】
従来、この種の便座装置としては、便器上面の後方に固定される本体と、本体に回転可能に支持されて開閉する便座および便蓋と、本体に設けられて使用者（人体）を検知可能な光学センサと、を備えるものが提案されている（例えば、特許文献１参照）。この便座装置では、便座や便蓋の閉状態における後端側の形状を、本体に支持される左右の両端部が中央部よりも後方に延びた形状とすることにより、便座や便蓋が開状態および閉状態のいずれであっても光学センサを露出させるものとしている。これにより、便座や便蓋が開状態および閉状態のいずれであっても光学センサによる検知を可能としている。
【先行技術文献】
【特許文献】
【０００３】
【特許文献１】特許第４４６７８６６号公報
【発明の概要】
【発明が解決しようとする課題】
【０００４】
上述した便座装置では、光学センサによる検知を可能とするために便座などの形状が上述した形状に定められるため、便座のデザインや設計の自由度が制限されることになる。このような便座装置では、近年の使用者の意識の変化により清潔性や美観に対する要求も高まっているから、なお改善の余地がある。
【０００５】
本発明は、光学センサによる適切な検知を可能とすることを主目的とする。
【課題を解決するための手段】
【０００６】
本発明は、上述の主目的を達成するために以下の手段を採った。
【０００７】
本発明の便座装置は、便器に設置される便座装置であって、前記便器の上面に固定される本体と、前記本体に支持された便座と、前記便座に設けられ、前記便座の表面から光を発する発光部と、前記発光部が発した光の反射光を受光可能な受光部とを有する反射型の光学センサと、を備えることを要旨とする。
【０００８】
本発明の便座装置では、本体に支持された便座に、便座の表面から光を発する発光部と、発光部が発した光の反射光を受光可能な受光部とを有する反射型の光学センサが設けられるから、使用者の入室や着座などを適切に検知することができる。なお、光学センサは、便座への使用者の着座を検知する着座センサであるものとしてもよい。
【０００９】
本発明の便座装置において、前記便座は、使用者が着座する着座部と、前記本体を覆うように前記着座部から後方の前記本体側まで延在する延在部とを有し、前記光学センサは、前記延在部に設けられるものとしてもよい。これにより、使用者の着座を阻害することなく光学センサを検知に適した位置に設けて、便座が本体を覆う形状とすることが可能となる。ここで、便座装置の本体に光学センサを設けて便座の形状を光学センサを露出させる形状とした場合、便座と本体との間の隙間も露出して、その隙間に汚れが溜まることがある。便座が本体を覆うものとすることで隙間が露出するのを防止するから、便座装置の清潔性を維持することができる。また、隙間を見えなくして便座装置の外観をすっきりさせることができるから、便座装置の美観を向上させることができる。
【００１０】
この態様の本発明の便座装置において、前記便座および前記本体の一方から他方に向けて幅方向の中央側から延出するように設けられると共に前記便座および前記本体の他方に設けられた凹部内に嵌まり込んで軸支され、前記便座を回転可能に支持するヒンジ部を備えるものとしてもよい。こうすれば、ヒンジ部は凹部内に嵌まり込んで軸支されるため、がたつきが少なく便座を安定して支持するものとなる。したがって、便座が本体を覆う形状としたために便座の重量が増えた場合でも便座の開閉動作を安定させることができる。なお、便座は、ヒンジ部だけでなく幅方向の両端側で本体に回転可能に支持されるものとしてもよい。こうすれば、便座は、幅方向の両端側と中央側とでより安定して支持されることになる。
【００１１】
この態様の本発明の便座装置において、前記ヒンジ部は、中空軸状のヒンジ軸により軸支されており、前記光学センサの配線は、前記便座と前記本体との間を前記ヒンジ軸内を通って引き回されるものとしてもよい。こうすれば、光学センサを便座に設けるものとした場合に光学センサの配線を容易に引き回すことができる。
【００１２】
この態様の本発明の便座装置において、前記便座は、幅方向の両端側で本体に回転可能に支持されており、前記便座が前記両端側で前記本体に支持される箇所および前記ヒンジ部が前記凹部の両側の内壁に軸支される箇所のうち、少なくとも２箇所に前記便座に回転抵抗を付与するダンパを備えるものとしてもよい。こうすれば、便座の重量が増えた場合でも便座の急激な開閉動作を適切に抑えることができる。
【００１３】
本発明の便座装置において、前記便座を覆う便蓋が設けられない便蓋レスの構造であるものとしてもよい。こうすれば、便座に設ける光学センサの位置が便蓋によって制限されることがないから、便座の設計の自由度をさらに高めることができる。また、便蓋を設けないことにより便座のコストダウンを図ることができる。
【図面の簡単な説明】
【００１４】
【図１】便座装置１０が取り付けられた便器１の外観斜視図である。
【図２】便座装置１０の構成の概略を示す構成図である。
【図３】便座装置１０の要部を示す拡大図である。
【図４】便座装置１０の外観斜視図である。
【図５】便座装置１０の内部構成の一部を示す断面図である。
【図６】着座センサ４０の外観斜視図である。
【図７】着座センサ４０の分解斜視図である。
【発明を実施するための形態】
【００１５】
次に、本発明を実施するための形態について説明する。
【００１６】
図１は便座装置１０が取り付けられた便器１の外観斜視図であり、図２は便座装置１０の構成の概略を示す構成図であり、図３は便座装置１０の要部を示す拡大図であり、図４は便座装置１０の外観斜視図であり、図５は便座装置１０の内部構成の一部を示す断面図である。本実施形態において、左右方向、前後方向及び上下方向は、各図に示した通りとする。なお、便座装置１０内に配置される構成は、図２では点線で示すが、図３では図示の便宜上実線として太線で示す。
【００１７】
図１に示すように、便器１は洋式便器であり、便器１の上面に便座装置１０が設置されている。便座装置１０は、便器１の上面の後方に固定される便座装置本体２０と、便座装置本体２０に開閉可能に軸支される便座３０と、を備える。また、便座装置１０は、使用者（人体）の着座を検知する着座センサ４０と、便座装置１０の状態を示す状態報知ランプ４７とが便座３０に設けられる。この便座装置１０は、便座３０を覆うための便蓋が設けられない便蓋レスの構造となっている。便座３０が閉位置にある閉状態（図１参照）で上面となる面を表面とし、下面となる面を裏面とする。なお、図２〜図４は便座３０が開位置にある開状態を示す。便座装置１０は、この他に使用者の操作を受け付ける操作パネルなどを備えるが、図示は省略する。
【００１８】
便座装置本体２０は、使用者の局部を洗浄する複数（例えば２つ）の局部洗浄ノズル２２と、便座装置１０全体を制御する制御装置２４と、を備える。便座装置本体２０は、略三角柱状に形成され、三角柱の底面に相当する側面２０ａが略直角三角形状であり、前方に向かって下り勾配で傾斜した傾斜面２０ｂを有する。傾斜面２０ｂには、便座３０を支持するための略直方体状の右側支持ブロック２５と左側支持ブロック２６とが設けられる。右側支持ブロック２５および左側支持ブロック２６は、左右方向（便座３０の幅方向）に所定間隔を空けて並び、その間に凹部２７が形成される。なお、右側支持ブロック２５および左側支持ブロック２６は、凹部２７を挟んで左右対称の形状となっており、左側支持ブロック２６内に制御装置２４が配置される。
【００１９】
便座３０は、略円環状に形成されて使用者が着座可能な着座部３０ａと、着座部３０ａと滑らかに接続され着座部３０ａから後方に向かって上り勾配で傾斜した傾斜部３０ｂと、傾斜部３０ｂの上端から後方に向かって略平坦状に延びる平坦部３０ｃとを有する。即ち、便座３０は、着座部３０ａと、着座部３０ａから後方に延在する傾斜部３０ｂおよび平坦部３０ｃとにより構成される。なお、便座３０は、これらの着座部３０ａと傾斜部３０ｂと平坦部３０ｃとが一体成型されており、各部の境界を厳密に定めるものではない。便座３０には、着座部３０ａの表面である着座面を加熱するための便座ヒータ３８が内蔵されている。傾斜部３０ｂは、便座装置本体２０の傾斜面２０ｂに沿って傾斜しており、左右方向の中央上側に着座センサ４０が設けられる。平坦部３０ｃは、左右方向の中央に状態報知ランプ４７が設けられる。便座３０は、傾斜部３０ｂと平坦部３０ｃとにより便座装置本体２０を上方から覆うものとなる。また、便座３０は、傾斜部３０ｂと平坦部３０ｃの裏側に、閉状態で便座装置本体２０の右側支持ブロック２５と左側支持ブロック２６とが収まるように窪んだブロック収容部３２が形成されている。ブロック収容部３２の左右方向における両端側には傾斜部３０ｂと平坦部３０ｃとの側壁をなす側壁部３４が形成されている。側壁部３４の先端（図２中の下端）側には回転軸３４ａが設けられ、便座３０は回転軸３４ａを介して便座装置本体２０に回動可能に支持される。
【００２０】
また、便座装置１０は、便座装置本体２０と便座３０との間にセンターヒンジ３５が設けられる。このセンターヒンジ３５は、回動部材３６と、支持部材３７とにより構成される。回動部材３６は、便座装置本体２０の凹部２７の内壁となる右側支持ブロック２５の内側壁部２５ａおよび左側支持ブロック２６の内側壁部２６ａとの間に嵌まり込んで、回動可能に軸支される。支持部材３７は、回動部材３６に接続されると共にブロック収容部３２の底に接続される。右側支持ブロック２５の内側壁部２５ａ側には、回動部材３６内の右側に配設された回転軸３６ａに連結され回動部材３６に回転抵抗を付与するメインダンパ２８が設けられる。回動部材３６は支持部材３７を介して便座３０に接続されるから、メインダンパ２８は、回転軸Ｓ１において便座３０に回転抵抗を付与するものとなる。また、回動部材３６には、回動部材３６内から左側支持ブロック２６の内側壁部２６ａにわたって挿通されるヒンジ軸３６ｂが設けられる。このヒンジ軸３６ｂは、詳細は省略するが、内側壁部２６ａと回動部材３６とにそれぞれ設けられる図示しないヒンジ筒に挿入されると共に回転軸Ｓ２回りにヒンジ筒を相対回転可能に連結するものであり、中空軸状に形成されている。右側支持ブロック２５の右側壁部２５ｂには、便座３０の右側の側壁部３４における回転軸３４ａに連結され、回転軸Ｓ３において便座３０に回転抵抗を付与する補助ダンパ２９が設けられる。同様に、左側支持ブロック２６の左側壁部２６ｂには、便座３０の左側の側壁部３４における回転軸３４ａに連結され、回転軸Ｓ４において便座３０に回転抵抗を付与する補助ダンパ２９が設けられる。なお、補助ダンパ２９は、メインダンパ２８よりも小さな回転抵抗を付与するように構成される。また、説明の便宜上、回転軸Ｓ１〜Ｓ４を別々に示したが、回転軸Ｓ１〜Ｓ４は同一軸線上の軸である。
【００２１】
着座センサ４０は、図６，図７に示すように、センサ本体４１と、フード４２と、センサカバー４３と、パッキン４４とを備える。センサ本体４１は、赤外光などの光を発する発光部４０ａと、発光部４０ａが発した光の反射光を受光する受光部４０ｂとを有する。フード４２は、センサカバー４３内での光の乱反射を防止するために、センサ本体４１とセンサカバー４３との間に配設される。センサカバー４３は、光透過性の材料で形成され、センサ本体４１に取り付けられる。パッキン４４は、センサ本体４１側への水の浸入を防止するものである。着座センサ４０は、フード４２を間に挟むようにしてセンサカバー４３をセンサ本体４１に取り付けてパッキン４４をセンサカバー４３に載置した状態で、センターヒンジ３５の支持部材３７内に配設されたセンサ固定部材３７ａ（図５参照）に搭載される。そして、センサ固定部材３７ａに着座センサ４０が搭載された状態で支持部材３７が回動部材３６に取り付けられると、便座３０のブロック収容部３２の底に設けられたセンサ収容部３３（図４参照）内に着座センサ４０が収容されて便座３０内に組み込まれる。これにより、着座センサ４０は、便座３０への使用者の着座の有無を検知可能となる。なお、着座センサ４０が便座３０内に組み込まれると、パッキン４４が便座３０（傾斜部３０ｂ）の裏面に押し付けられて、センサ本体４１側への水の浸入を防止するものとなる。着座センサ４０の配線４５（図３参照）は、支持部材３７と回動部材３６、ヒンジ軸３６ｂ、左側支持ブロック２６を通るように引き回され、左側支持ブロック２６内に配置された制御装置２４に接続される。即ち、配線４５は、便座３０と便座装置本体２０との間を中空のヒンジ軸３６ｂ内を通って引き回されるものとなる。
【００２２】
状態報知ランプ４７は、複数のＬＥＤにより構成されており、例えば、電源が供給されている状態で点灯する電源ＬＥＤ４７ａと、電力消費を抑える節電モードが設定されている状態で点灯する節電ＬＥＤ４７ｂと、便座装置１０の所定の点検時期である状態で点灯する点検ＬＥＤ４７ｃとを有する。なお、節電モードは、上述した操作パネルなどにより設定可能である。これらの状態報知ランプ４７の配線４８（図３参照）は、着座センサ４０の配線４５と同様に、中空のヒンジ軸３６ｂ内を通って引き回され制御装置２４に接続される。なお、便座ヒータ３８の配線３９（図３参照）も、中空のヒンジ軸３６ｂ内を通って引き回され制御装置２４に接続される。
【００２３】
制御装置２４は、図示は省略するが、ＣＰＵを中心とするマイクロコンピュータとして構成されており、ＣＰＵの他にＲＯＭやＲＡＭ，入出力ポートなどを備える。制御装置２４には、着座センサ４０からの検知信号や図示しない操作パネルからの操作信号などが入力ポートを介して入力される。また、制御装置２４からは、局部洗浄ノズル２２への駆動信号や便座ヒータ３８への駆動信号，状態報知ランプ４７の各ＬＥＤへの点灯信号などが出力ポートを介して出力される。
【００２４】
こうして構成された便座装置１０では、着座センサ４０からの検知信号により便座３０への使用者の着座の有無を検知する。制御装置２４は、着座センサ４０からの検知信号により着座が検知されると、操作パネルの設定に基づき便座ヒータ３８への駆動信号を出力して便座３０の着座面を加熱したり、局部洗浄ノズル２２から洗浄水を吐出する準備を行ったりする。また、制御装置２４は、着座センサ４０により使用者の着座が検知されている場合に操作パネルの操作に基づき局部洗浄ノズル２２から洗浄水を吐出させたりする。制御装置２４は、着座センサ４０からの検知信号により着座が検知されなくなると、便座ヒータ３８による便座３０の着座面の加熱を終了させる。便座装置１０が便蓋レスの構造で便座３０に着座センサ４０が設けられているため、便座３０が閉状態で着座センサ４０が適切に着座を検知可能となる。また、便座３０が開状態では、通常は着座センサ４０が着座を検知することがないものとすることができるから、例えば男性の小用時に使用者を誤検知して便座装置１０が誤動作するのを防止することができる。
【００２５】
以上説明した便座装置１０では、便座３０に着座センサ４０が設けられるから、便座３０が閉位置にある場合に使用者の検知を可能としつつ、便座装置本体２０に着座センサを設ける場合のように着座センサを露出させる形状に便座３０を設計する必要がないものとすることができる。また、便座装置本体２０ではなく便座３０に着座センサ４０を設けるから、便座装置本体２０に着座センサ４０を設けた場合のように着座センサ４０を露出させる形状に便座３０を設計する必要がない。したがって、着座センサ４０による使用者の適切な検知を可能としつつ便座３０の設計の自由度を高めることができる。
【００２６】
また、便座３０は、着座部３０ａから後方に延在する傾斜部３０ｂおよび平坦部３０ｃを有し、閉位置で便座装置本体２０を覆うものとなっている。このため、便座３０と便座装置本体２０との間の隙間が露出するのを防止して便座装置１０の清潔性を維持することができると共に便座装置１０の外観をすっきりさせて便座装置１０の美観を向上させることができる。
【００２７】
また、便座３０が左右方向（幅方向）の中央側でセンターヒンジ３５により支持され、センターヒンジ３５は凹部２７に嵌め込まれてがたつきが抑えられているから、便座装置本体２０を覆う形状としたために便座３０の重量が増えた場合でも、便座３０の開閉動作を安定させることができる。また、回転軸Ｓ１，Ｓ３，Ｓ４の３箇所にダンパ（メインダンパ２８と補助ダンパ２９）が設けられるから、便座３０の急激な開閉動作を適切に抑えることができる。
【００２８】
また、着座センサ４０の配線４５を、ヒンジ軸３６ｂ内を通して容易に引き回すことができる。また、使用者の着座を適切に検知するために、通常は便座３０の左右方向の中央側に着座センサ４０を設けるから、センターヒンジ３５のヒンジ軸３６ｂ内に配線４５を通すことで配線４５が必要以上に長くなるのを防止して効率よく引き回すことができる。また、便座ヒータ３８の配線３９や状態報知ランプ４７の配線４８もヒンジ軸３６ｂ内を通すから、各配線をまとめて引き回すことができる。
【００２９】
また、便座装置１０は、便蓋レスの構造であるから、着座センサ４０の位置が便蓋によって制限されることがなく、便座３０の設計の自由度をさらに高めることができる。また、便蓋レスとすることで、便座装置１０のコストダウンを図ることもできる。
【００３０】
上述した実施形態では、光学センサとして便座３０への着座を検知する着座センサを例示したが、これに限られず、便座装置１０が設けられた室内への使用者の入室を検知する入室検知センサなどとしてもよい。また、着座センサと入室検知センサとを便座３０に設けるなど、複数の光学センサを便座３０に設けるものとしてもよい。
【００３１】
実施形態では、便座装置１０を便座３０を覆うための便蓋が設けられない便蓋レスの構造としたが、これに限られず、便蓋が設けられる構造としてもよい。また、便座３０が便座装置本体２０を覆う構造としたが、これに限られず、便座３０が便座装置本体２０を覆わずに露出させる構造としてもよい。
【００３２】
実施形態では、回転軸Ｓ１〜Ｓ４の４箇所のうち３箇所にダンパを設けるものとしたが、これに限られず、少なくとも２箇所にダンパを設けるものであればよい。あるいは、１箇所のみにダンパを設けるものとしてもよいが、便座装置本体２０を覆うものとした場合の便座３０の重量の増加を考慮して少なくとも２箇所に設けるものが好ましい。
【００３３】
実施形態では、便座３０に付与する回転抵抗の大きさが異なる２種類のダンパ（メインダンパ２８と補助ダンパ２９）を設けるものとしたが、これに限られず、付与する回転抵抗の大きさが同じ複数のダンパを設けるものなどとしてもよく、例えば両端側にそれぞれダンパ（メインダンパに相当）を設けてもよい。
【００３４】
実施形態では、センターヒンジ３５の中空のヒンジ軸３６ｂ内に着座センサ４０の配線４５を通すもの即ち便座３０の中央部から便座装置本体２０へ配線４５を引き回すものとしたが、これに限られず、便座３０の左右の端部側から便座装置本体２０へ配線４５を引き回すものなどとしてもよい。また、便座ヒータ３８のヒータ配線３９や状態報知ランプ４７のランプ配線４８をヒンジ軸３６ｂ内に通すものとしたが、これに限られず、着座センサ４０の配線４５のみを通すものなどとしてもよい。なお、ヒータ３８や状態報知ランプ４７が設けられるものに限られず、設けられないものなどとしてもよい。
【００３５】
実施形態では、センターヒンジ３５が便座３０に接続（固定）されて便座装置本体２０に設けられる凹部２７に軸支されるものとしたが、これに限られず、便座装置本体２０に接続されて便座３０に設けられる凹部に軸支されるものとしてもよい。また、便座３０が左右方向の両端側と中央側とで支持されるものとしたが、これに限られず、両端側と中央側とのいずれか一方で支持されるものとしてもよい。ただし、便座装置本体２０を覆うものとした場合の便座３０の重量の増加を考慮して両端側と中央側とで支持されるものが好ましい。なお、ヒンジ部が凹部に嵌まり込まないように構成してもよい。
【００３６】
本実施形態の主要な要素と課題を解決するための手段の欄に記載した発明の主要な要素との対応関係について説明する。本実施形態の便座装置１０が本発明の「便座装置」に相当し、便座装置本体２０が「本体」に相当し、便座３０が「便座」に相当し、着座センサ４０が「光学センサ」に相当する。着座部３０ａが「着座部」に相当し、傾斜部３０ｂと平坦部３０ｃとが「延在部」に相当する。凹部２７が「凹部」に相当し、センターヒンジ３５が「ヒンジ部」に相当し、ヒンジ軸３６ｂが「ヒンジ軸」に相当する。配線４５が「光学センサの配線」に相当する。メインダンパ２８と補助ダンパ２９とが「ダンパ」に相当する。
【００３７】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００３８】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００３９】
本発明は、便座装置の製造産業などに利用可能である。
【符号の説明】
【００４０】
１  便器、１０  便座装置、２０  便座装置本体、２０ａ  側面、２０ｂ  傾斜面、２２  洗浄ノズル、２４  制御装置、２５  右側支持ブロック、２５ａ，２６ａ  内側壁、２５ｂ，２６ｂ  外側壁、２６  左側支持ブロック、２７  凹部、２８  メインダンパ、２９  補助ダンパ、３０  便座、３０ａ  着座部、３０ｂ  傾斜部、３０ｃ  平坦部、３２  ブロック収容部、３３  センサ収容部、３４  側壁部、３５  センターヒンジ、３６  回動部材、３６ａ  回転軸、３６ｂ  ヒンジ軸、３７  支持部材、３７ａ  センサ固定部材、３８  便座ヒータ、３９  ヒータ配線、４０  着座センサ、４０ａ  投光部、４０ｂ  受光部、４１  センサ本体、４２  フード、４３  センサカバー、４４  パッキン、４５  センサ配線、４７  状態報知ランプ、４７ａ  電源ＬＥＤ、４７ｂ  節電ＬＥＤ、４７ｃ  点検ＬＥＤ、４８  ランプ配線、Ｓ１〜Ｓ４  回転軸。
【図１】
2019126406.tif 000003
【図２】
2019126406.tif 000004
【図３】
2019126406.tif 000005
【図４】
2019126406.tif 000006
【図５】
2019126406.tif 000007
【図６】
2019126406.tif 000008
【図７】
2019126406.tif 000009